(57)【要約】【課題】  簾本体の前面側あるいは後面側のどちら側に居ても、簾本体の上げ下げの操作が容易にできる簾及びそれを使用した室内構造を提供する。【解決手段】  簾Ａ１は、上部吊下体２から吊り下げられた簾本体１と、簾本体１を上げ下げする紐状体４ａ，４ｂを巻き掛ける滑車装置５，６とを備えている。簾本体１の上げ下げを操作する操作紐４ｃは、紐状体４ａ，４ｂの他端側で構成されている。簾Ａ１は、操作紐４ｃを垂下させる滑車３３と、操作紐４ｃを掛止するストッパー３４とを有するストッパー装置３を備えている。滑車装置５，６及びストッパー装置３は上部吊下体２に外付けされている。操作紐４ｃは、簾本体１の幅方向の端縁部１１よりも外方で垂下している。【選択図】  図１  
0003103167.tif 000002
【実用新案登録請求の範囲】
【請求項１】
上部吊下体(2)から吊り下げられた簾本体(1)と、簾本体(1)を上げ下げする紐状体(4a)(4b)を巻き掛ける滑車装置(5)(6)と、を備え、簾本体(1)の上げ下げを操作する操作紐(4c)が紐状体(4a)(4b)の他端側で構成される簾であって、
操作紐(4c)を垂下させる滑車(33)と、操作紐(4c)を掛止するストッパー(34)とを有するストッパー装置(3)を備え、
上記滑車装置(5)(6)及びストッパー装置(3)は上部吊下体(2)に外付けされ、上記操作紐(4c)は、簾本体(1)の幅方向の端縁部(11)よりも外方で垂下していることを特徴とする、
簾。
【請求項２】
上部吊下体(2)の長手方向の一端側の長さは簾本体(1)の幅よりも長くなっており、上部吊下体(2)のうちの簾本体(1)から張り出した部分にストッパー装置(3)が取り付けてあることを特徴とする、
請求項１記載の簾。
【請求項３】
請求項１または２記載の簾(A1)(A2)の簾本体(1)を垂らして所要空間を区画し、操作紐(4c)を操作することにより、区画した前後の空間部の両方から簾本体(1)を上げ下げできるように構成したことを特徴とする、
室内構造。
【考案の詳細な説明】
【技術分野】
【０００１】
本考案は簾及びそれを使用した室内構造に関する。
更に詳しくは、簾本体の前面側あるいは後面側のどちら側に居ても、簾本体の上げ下げの操作が容易にできる簾及びそれを使用した室内構造に関する。
【背景技術】
【０００２】
簾は、我が国において長年親しんできた商品の一つであり、室内を仕切ったり、日光を遮ったりするために使用される。簾は日本家屋に合った東洋的雰囲気を醸し出すため、近年、間仕切りとして和食処や居酒屋などの店内にも広く利用されている。間仕切り用の簾としては、自由に開閉ができるように、図６に示すような滑車装置を有する簾が一般的に使用されている。
【０００３】
図６に示すように、通常、簾は簾本体９１を吊り下げる棒状の上部吊下体９２を備えている。この上部吊下体９２の前面側には、簾本体９１を上げ下げする上下紐９３，９３を通す滑車装置９４，９５を左右両側に互いに離して取り付けてある。そして、上下紐９３，９３の各他端側を右側の滑車装置９５から簾本体９１の側面側に垂下させることで、簾本体９１を開閉する操作紐９６を構成している。
【考案の開示】
【考案が解決しようとする課題】
【０００４】
しかしながら、上記した従来の簾では、簾本体９１を開閉する操作紐９６が簾本体９１の前面側に垂下しているため、後面側に居るときは簾本体９１の操作をすることが困難であった。このため、簾本体９１を操作するためには反対側に回り込まなければならず、使い勝手が悪かった。特に例えば落ち着いた雰囲気の和食処や居酒屋等で上記簾を使って座敷を狭く仕切った場合などでは、簾を開閉するために店員が動き回ると騒々しく、また作業効率も悪かった。
【０００５】
（本考案の目的）
そこで本考案の目的は、簾本体の前面側あるいは後面側のどちら側に居ても、簾本体の上げ下げの操作が容易にできる簾及びそれを使用した室内構造を提供することにある。
【課題を解決するための手段】
【０００６】
上記目的を達成するために本考案が講じた手段は次のとおりである。
なお、後述する作用の説明の理解を助けるため、実施例を説明するために添付した図面に使用した符号を括弧を用いて記載している。
【０００７】
第１の考案にあっては、
上部吊下体(2)から吊り下げられた簾本体(1)と、簾本体(1)を上げ下げする紐状体(4a)(4b)を巻き掛ける滑車装置(5)(6)と、を備え、簾本体(1)の上げ下げを操作する操作紐(4c)が紐状体(4a)(4b)の他端側で構成される簾であって、
操作紐(4c)を垂下させる滑車(33)と、操作紐(4c)を掛止するストッパー(34)とを有するストッパー装置(3)を備え、
上記滑車装置(5)(6)及びストッパー装置(3)は上部吊下体(2)に外付けされ、上記操作紐(4c)は、簾本体(1)の幅方向の端縁部(11)よりも外方で垂下していることを特徴とする、
簾である。
【０００８】
第２の考案にあっては、
上部吊下体(2)の長手方向の一端側の長さは簾本体(1)の幅よりも長くなっており、上部吊下体(2)のうちの簾本体(1)から張り出した部分にストッパー装置(3)が取り付けてあることを特徴とする、
第１の考案に係る簾である。
【０００９】
第３の考案にあっては、
第１または第２の考案に係る簾(A1)(A2)の簾本体(1)を垂らして所要空間を区画し、操作紐(4c)を操作することにより、区画した前後の空間部の両方から簾本体(1)を上げ下げできるように構成したことを特徴とする、
室内構造である。
【００１０】
本明細書及び実用新案登録請求の範囲でいう「簾本体の幅方向」とは、簾本体の吊下方向と交差する幅方向を指す意味で使用している。
【００１１】
本明細書で「簾本体」の用語は、一般的に竹や葦などを編み列ねて形成したものを指すが、特に材料や編み方を限定するものではなく、プラスチックや紙（和紙）等といったその他の材料を使用して形成したものや、隙間をあけず編み列ねて形成したものも含む広い概念として使用している。
【００１２】
本明細書で「紐状体」の用語は、単なる紐の他、チェーン(鎖)、コード、ワイヤー等も含む広い概念として使用している。
【００１３】
（作  用）
本考案は次のように作用する。
簾本体(1)の上げ下げを操作する操作紐(4c)は、簾本体(1)の幅方向の端縁部(11)よりも外方で垂下している。したがって、簾本体(1)の前面側に居るときは、操作紐(4c)を操作して簾本体(1)を開閉する。また簾本体(1)の後面側に居るときも同様に、操作紐(4c)を操作して簾本体(1)を開閉する。このように、簾本体(1)の前面側あるいは後面側のどちら側に居ても操作紐(4c)を操作できるので、簾本体(1)の上げ下げが容易である。
【考案の効果】
【００１４】
本考案は上記構成を備え、次の効果を有する。
（ａ）本考案に係る簾によれば、簾本体の上げ下げを操作する操作紐を簾本体の前面・後面側ではなく、簾本体の幅方向の端縁部よりも外方で垂下させているので、簾本体の前後どちらに居ても操作紐を操作でき、簾本体を上げ下げできる。したがって、本考案に係る簾を使用して、所要空間を区画して室内構造を構成した場合、操作紐を操作するために簾の反対側に回り込む必要はないので、作業効率が高い。特に和食処や居酒屋において座敷を狭く仕切って使用した場合や、先に客が座っている場合などでは、店員が動き回りにくいため、その効果は顕著である。また、簾を開閉するために店員が騒々しく動き回る必要がないので、和食処や居酒屋等で落ち着いた雰囲気を保てる。
【００１５】
（ｂ）しかも、本考案に係る簾によれば、滑車装置及びストッパー装置を上部吊下体に外付けしているので、それら装置を上部吊下体に内蔵させた場合に比べ、製造が容易であり、コストも安価に抑えることができる。また外付けであるため、上部吊下体は滑車装置及びストッパー装置を内蔵するための中空部は必要なく、本質的に中実の材料を使用できる。よって、例えば上部吊下体が木製であれば、木製で中空部を有する上部吊下体に簾本体を固定する場合と比べて、簾本体を上部吊下体に強固に固定できるので、面積が広く相当の重量がある簾本体であっても吊り下げることができる。更に、外付けであるため、紐状体を上部吊下体の内部に通す必要はないので、紐状体が上部吊下体の内部で引っ掛かったりすることはなく、スムーズな開閉操作ができる。
【考案を実施するための最良の形態】
【００１６】
本考案を図面に示した実施例に基づき更に詳細に説明する。
【実施例１】
【００１７】
図１は、本考案に係る簾の第１の実施例を示す斜視説明図、
図２は、図１に示す簾に使用する滑車装置とストッパー装置を示す部分拡大断面説明図、
図３は、簾の上部側を示す部分拡大側面視説明図である。
なお、本実施例で示す簾の左右方向及び前後方向は、図１を基に説明している。これについては、後述する図５に示す簾についても同じである。
【００１８】
図１は巻き上げ型の簾Ａ１を示している。簾Ａ１は、簾本体１を吊り下げて支持する木製（竹でも良い）で中実な棒状の上部吊下体２を備えている。上部吊下体２は、フックＦ，Ｆ等を介して天井や鴨居や桟木などに吊り下げられる。なお、上部吊下体２は金属等の他の材料で形成することもできる。
【００１９】
図２に示すように、上部吊下体２の下部側には、長手方向に沿って溝２１が形成され、この溝２１に簾本体１の上端部が嵌め入れられている。そして、簾本体１は、ステープル（図示省略）と後述するリベット３１１によって固定されている。
【００２０】
上部吊下体２の長手方向の一端側の長さは、簾本体１の幅よりもやや長くなっており、その簾本体１から張り出した部分に、紐状体の方向転換も行うストッパー装置３が取付けられている。上部吊下体２には、ストッパー装置３の他に、簾本体１を上げ下げする紐状体である上下紐４ａ，４ｂを通す滑車装置５，６が取付けられている。滑車装置５，６は、上部吊下体２の左右両側に互いに離して取り付けられている。
【００２１】
なお、滑車装置の数は特に限定するものではなく、簾本体１の幅等に応じて一または複数設けることができる。滑車装置を一つ使用して簾を構成する場合は、滑車装置を上部吊下体２のほぼ中間部に設けることが好ましい。また上下紐の数も、滑車装置の数に対応して複数設けられる。
【００２２】
図１及び図２を参照して、ストッパー装置３と滑車装置５，６の構造、並びに紐の掛け方について説明する。
（ストッパー装置３）
ストッパー装置３は、簾本体１の上げ下げを操作する紐状体である操作紐４ｃを通すものである。操作紐４ｃは、滑車装置５，６に通した上下紐４ａ，４ｂの他端側を垂下させたもので構成される。なお、上下紐４ａ，４ｂと後述の操作紐４ｃは、後述するように１本の紐から出来ているが、説明の都合上、別の符号を付して説明する。
【００２３】
ストッパー装置３は、簾本体１から張り出した上部吊下体２の一端部に取り付けられている。その結果、操作紐４ｃは簾本体１の前面・後面側ではなく、簾本体１の幅方向の端縁部１１よりも外方で垂下している。これにより、簾本体１の前面側あるいは後面側のどちら側に居ても、操作紐４ｃを操作して簾本体１を上げ下げ（開閉）できる。
【００２４】
ストッパー装置３の上部側は、断面略逆「Ｕ」字状の取付部３１で構成されている。取付部３１は上部吊下体２に横から嵌め込まれている。符号３１１は、ストッパー装置３を固定する固着具であるリベットを示している。
【００２５】
ストッパー装置３の下部側は、略箱状のケース３２で構成されている。上記した取付部３１とケース３２は一枚の金属板を折り曲げることで形成されている。ケース３２内には、操作紐４ｃを巻き掛ける滑車３３と、その下方に操作紐４ｃを掛止するストッパー３４が回動自在に取り付けられている。ストッパー３４は、ケース３２の下面部３２３（図２参照）に当接することにより、下方への回動が制限されている。これにより、操作紐４ｃを簾本体１の中央側に少し動かせば、操作紐４ｃはストッパー３４に引っ掛かるようになっている。
【００２６】
滑車３３の周部には、二本の上下紐４ａ，４ｂを巻き掛けるために溝（図面では隠れて見えず）が二本形成されている。なお、この溝の数は、上下紐の数（滑車装置の数）に応じて異なる。ストッパー３４の当接面には多数の掛止突起３４１（図２参照）が設けられ、ケース３２内面と協働して操作紐４ｃを挟んで掛止する。
【００２７】
ケース３２の下部側には、操作紐４ｃを垂らした状態で引き出す下開口部３２１が設けられている。ケース３２の上部側には、ケース３２内に上下紐４ａ，４ｂを引き込むための上開口部３２２が設けられている。
【００２８】
（滑車装置）
上部吊下体２に取り付けられている二つの滑車装置５，６は、同一構造である。滑車装置５，６には、簾本体１下端のロール部分１２をすくい掛ける上下紐４ａ，４ｂが通される。なお、説明の都合上、図１、図２、図４及び図５において左側の滑車装置５を「左滑車装置５」とし、右側の滑車装置６を「右滑車装置６」という場合がある。
【００２９】
上記したように、各滑車装置５，６は、上部吊下体２の左右両側に互いに離して取り付けられている。そして、左滑車装置５でロール部分１２の左側をすくい掛け、右滑車装置６でロール部分１２の右側をすくい掛けている。符号１２１は簾本体１の下端部に取り付けてあるウェイトバーを示している。
【００３０】
各滑車装置５，６の上部側には、断面略逆「Ｕ」字状の取付部５１が設けられている。この取付部５１を上部吊下体２に上から嵌め込むことで、上部吊下体２に滑車装置５，６が取り付けられる。符号３１１は、滑車装置５，６を固定する固着具であるリベットを示している。
【００３１】
取付部５１の上部には、側面視略三角形状の吊下環５２が起倒可能に設けられており、天井等に固定されたフックＦ，Ｆ等に吊り下げられる。上部吊下体２の後面側に位置する取付部５１の先端部には、上下紐４ａ，４ｂの端部を結んで固定する固定部であるリング５３が設けられている。
【００３２】
各滑車装置５，６の下部側には、滑車５６が回転自在に取付けられている。滑車を両側から支持する側板５４と平面視Ｌ形状の外板５５は、上記取付部５１と共に一枚の金属板を曲げることで形成されている。
【００３３】
図２に示すように、外板５５の所要の位置には、水平方向に延びた上下紐４ａを通すための挿通孔５５１が設けてある。なお、図２で左滑車装置５の挿通孔５５１は実際には使用していないため、挿通孔５５１を有しない滑車装置を用いることもできる。ただし、本実施例では、左側用と右側用と区別することなく、同じ滑車装置を共用できるように、どちらとも挿通孔５５１を有する滑車装置を使用している。
【００３４】
（上下紐の掛け方）
以下に説明する上下紐４ａ，４ｂの掛け方は一つの例を示しており、特にこの手順に限定するものではない。
また本実施例では、一本の紐を使用して上下紐４ａ，４ｂ及び操作紐４ｃを構成した場合について説明するが、特にこれに限定されない。
【００３５】
まず、紐を二つに折り、その両端部をストッパー装置３の下開口部３２１（図２参照）から通してストッパー３４の掛止突起３４１の前方を通し、更に滑車３３に巻き掛ける。
【００３６】
巻き掛けた紐の一端側である上下紐４ａは左方へ水平に伸ばし、右滑車装置６の挿通孔５５１を通して、更に左方へ水平に伸ばす。そして、左滑車装置５の滑車５６に巻き掛けると共に、下方に垂らして簾本体１下端のロール部分１２の左側をすくい掛ける。すくい掛けた上下紐４ａの一端部は、左滑車装置５の後側にあるリング５３に結んで固定する。
【００３７】
他方、ストッパー装置３の滑車３３に巻き掛けた紐の他端側である上下紐４ｂは、左方へ水平に伸ばし、右滑車装置６の滑車５６に巻き掛ける。そして、下方に垂らし、簾本体１下端のロール部分１２の右側をすくい掛ける。すくい掛けた上下紐４ｂの他端部は、右滑車装置の後側にあるリング５３に結んで固定する。
【００３８】
ストッパー装置３から垂下した紐状体によって操作紐４ｃが構成され、その下端部にはつまみ７１が取り付けられている。操作紐４ｃはつまみ７１の孔に通した後に結び目を形成することで、つまみ７１に固定される。符号７２（図１参照）は、操作紐４ｃを束ねる留め具を示している。
【００３９】
なお、操作紐４ｃは、簾本体１の幅方向の左右どちらに設けても良い。
【００４０】
（作  用）
図１に示す簾Ａ１は次のように作用する。
本実施例では、操作紐４ｃが簾本体１の前面・後面側ではなく、簾本体１の幅方向の端縁部１１よりも外方に位置している。これにより、簾本体１の前面側あるいは後面側のどちら側に居ても、操作紐４ｃを操作でき、簾本体１の上げ下げの操作が容易である。
【００４１】
操作紐４ｃの具体的な操作は、次のようにして行う。
図１に示す状態から操作紐４ｃを下に引っ張ることにより、ストッパー３４（図２参照）を下方に回動させ、ストッパー３４による操作紐４ｃへの掛止を解除する。これにより、簾本体１のロール部分１２が自重によって下がり始め、簾本体１は閉じられる。
【００４２】
また、簾本体１が閉じた状態から操作紐４ｃを下方に引き下げることにより、ストッパー３４による操作紐４ｃへの掛止を解除して、簾本体１を巻き上げることができる。
【００４３】
なお、引っ張っていた操作紐４ｃを簾本体１の中央側（図１及び図２で左側）へ動かし力を緩めれば、再びストッパー３４によって上下紐４ａ，４ｂが掛止され、ロール部分１２はその位置で止まる。これにより、簾Ａ１の開け幅を調整することができる。
【００４４】
図４は本実施例に係る簾の使用状態を示す斜視説明図であり、和食処や居酒屋などで簾を間仕切りとして使用して室内構造を構成した場合の一例を示している。
例えば通路Ｂに面した座敷に簾を使用した場合（図４参照）、図６に示す従来の簾では、操作紐９６が設けられていない側から簾の操作をすることが困難であったため、その操作のためだけに通路に一旦降りて簾の反対側に回り込まなければならず、使い勝手が悪かった。
【００４５】
これに対し、本実施例では、上記したように、簾本体１の前面側あるいは後面側のどちら側に居ても操作紐４ｃの操作ができるので、簾Ａ１の反対側に回り込む必要はなく、作業効率を向上させることができる。特に狭く仕切った座敷などで使用した場合や、客が座っている場合などでは、店員が動き回りにくいため、その効果は顕著である。また、簾を開閉するために店員が騒々しく動き回る必要がないので、和食処や居酒屋等で落ち着いた雰囲気を保てる。
【００４６】
なお、図４ではテーブルＣ，Ｃ間を隣接する二つの簾Ａ１で仕切り、且つ、操作紐４ｃが通路側に向くように簾Ａ１，Ａ１を配置しているが、テーブルＣ，Ｃ間を一つの簾Ａ１で仕切るようにしても良く、また操作紐４ｃが通路とは反対の壁側に向くように簾Ａ１を配置しても良い。
【００４７】
テーブルＣ，Ｃ間を一つの簾Ａ１で仕切るようにした場合、操作紐４ｃが通路側に面するように簾Ａ１を配置すれば、店員は通路側に立った状態で操作紐４ｃを手元で操作することができる。したがって、座敷に上がり込んだり、通路側から腰を屈めて手を伸ばす必要はない。また、操作紐４ｃが通路とは反対の壁側に面するように簾Ａ１を配置すれば、操作紐４ｃが隅の方に位置するので、客の邪魔になりにくい。
【実施例２】
【００４８】
図５は、本考案に係る簾の第２の実施例を示す斜視説明図である。
なお、実施例１と同一または同等箇所には同一の符号を付して示している。また、実施例１で示してある箇所については、説明を省略し、主に相異点を説明する。
【００４９】
図５は、たくり上げ型（ローマンシェードとも称される）の簾Ａ２を示している。簾Ａ２は、開閉機構が実施例１と異なる以外は、ストッパー装置３、滑車装置５，６等の基本的な構造は同じある。ただし、図５で操作紐４ｃが簾本体１の左側にあるため、ストッパー装置３、滑車装置５，６の形状は実施例１と左右対称形となっている。なお、操作紐４ｃを簾本体１の右側に配置することもできる。
【００５０】
簾本体１の一方の側面（図５で紙面側）には、その上下方向に沿って所要の間隔をおいて挿通部である所要数の挿通環８が一列に取り付けられており、挿通環列を形成している。挿通環列は、各滑車装置５，６の下方に設けられている。
【００５１】
ストッパー装置３の滑車３３に巻き掛けた上下紐４ａの一端側は、右方へ水平に伸ばし、左滑車装置５の挿通孔（図面では隠れて見えず）を通して、更に右方へ水平に伸びている。そして、右滑車装置６の滑車５６に巻き掛けると共に、下方に垂らして挿通環列を構成する各挿通環８を挿通し、上下紐４ａの一端部は簾本体１の下端部に固定されている。
【００５２】
他方、ストッパー装置３の滑車３３に巻き掛けた上下紐４ｂの他端側は、右方へ水平に伸ばし、左滑車装置５の滑車５６に巻き掛けられている。そして、下方に垂らして挿通環列を構成する各挿通環８を挿通し、上下紐４ｂの一端部は簾本体１の下端部に固定されている。なお、本実施例では取り付けられていないが、簾本体１の下端部にウェイトバーを取り付けることもできる。
【００５３】
（作  用）
実施例２に係る簾Ａ２は次のように作用する。
簾本体１を下ろした状態から操作紐４ｃを引き下ろして、各挿通環８に通した上下紐４ａ，４ｂを上昇させる。これにより、図５に示すように、簾本体１の下端側が上昇して、上方にある挿通環８に順次当接していく。そして、上下に隣合う挿通環８の間の簾本体１にひだを形成しながら、挿通環８と一体に上昇し、簾本体１は開いた状態となる。簾本体１を閉じる際には、上記した逆の作用をとる。
その他の作用及び効果は、実施例１と大体において同じであるため、説明を省略する。
【００５４】
なお、本明細書で使用している用語と表現はあくまで説明上のものであって、限定的なものではなく、上記用語、表現と等価の用語、表現を除外するものではない。また、本考案は図示の実施例に限定されるものではなく、技術思想の範囲内において種々の変形が可能である。
【００５５】
更に、実用新案登録請求の範囲には、請求項記載の内容の理解を助けるため、図面において使用した符号を括弧を用いて記載しているが、実用新案登録請求の範囲を図面記載のものに限定するものではない。
【図面の簡単な説明】
【００５６】
【図１】本考案に係る簾の第１の実施例を示す斜視説明図。
【図２】図１に示す簾に使用する滑車装置の部分拡大断面説明図。
【図３】簾の上部側を示す部分拡大側面視説明図。
【図４】本実施例に係る簾の使用状態を示す斜視説明図。
【図５】本考案に係る簾の第２の実施例を示す斜視説明図。
【図６】従来の簾を示す斜視説明図。
【符号の説明】
【００５７】
Ａ１，Ａ２ 簾
Ｂ 通路
Ｃ テーブル
Ｆ フック
１ 簾本体
２ 上部吊下体
３ ストッパー装置
４ａ，４ｂ 上下紐
４ｃ 操作紐
５ 左滑車装置
６ 右滑車装置
８ 挿通環
１１ 端縁部
１２ ロール部分
２１ 溝
３１ 取付部
３２ ケース
３３ リング
３３ 滑車
３４ ストッパー
５１ 取付部
５２ 吊下環
５３ リング
５４ 側板
５５ 外板
５６ 滑車
７１ つまみ
７２ 留め具  
１２１ ウェイトバー
３１１ リベット
３２１ 下開口部
３２２ 上開口部
３２３ 下面部
３４１ 掛止突起
５５１ 挿通孔
【図１】
0003103167.tif 000003
【図２】
0003103167.tif 000004
【図３】
0003103167.tif 000005
【図４】
0003103167.tif 000006
【図５】
0003103167.tif 000007
【図６】
0003103167.tif 000008